(57)【特許請求の範囲】
【請求項１】
基地局を介して、複数の加入者局が制御チャネル、通信チャネル及び予約チャネルを持つフレームで交信する時分割多元接続方式の加入者系無線アクセスシステムに使用する加入者局であって、
複数の指向性アンテナを介して同一周波数で送受信可能な無線部と、上記無線部と結合され受信信号の識別と、送信信号の生成と無線チャネル及びアンテナの管理を行う通信制御部と、別の加入者局と上記基地局との間で交わされる信号を一時記憶するバッファと、自局の同期元となる無線局の情報と自局が中継に関する下位加入者局との間の中継経路を特定するための中継経路情報とを登録する第一のテーブルと、フレームフォーマットを記録する第三のテーブルとを有し、
上記通信制御部が、上記別の加入者局が該加入者系無線アクセスシステムに同期するための基準無線局の情報に基づいて、上記別の加入者局と基地局との間で交わされる信号を中継する必要の要否を判断する手段と、
中継する必要があるときの上記中継径路情報を自動的に設定する手段とを有し、
更に該加入者局の有する指向性アンテナ毎の同期元無線局の探索期間の上限を報知する第２のタイマと、自局の下位加入者局の探索期間の上限を報知する第１のタイマーとを備え、上記第１のタイマーの報知する自局下位加入者局の探索期間の上限が、第２のタイマーの報知する同期元無線局の探索期間の上限値と、当該システムに含まれる加入者局の備える指向性アンテナ個数の最大値とを乗じた値以上であり、
上記当該システムに含まれる加入者局の各々は、第２のタイマーの報知する探索時間を使って各加入者の有する指向性アンテナ毎に同期元の無線局の探索を行い、
さらに、上記当該システムに含まれる加入者局の各々は、第１のタイマーの報知する探索時間を使って各加入者の有する指向性アンテナ毎に自局下加入局の探索を行うことを特徴とする加入者局。
【発明の詳細な説明】
【０００１】
【発明の属する技術分野】
本発明は加入者系無線アクセスシステム、および特に準ミリ波帯・ミリ波帯の周波数を利用するＰ−ＭＰ（一対多方向方式）システム及びそのシステムを構成する基地局及び加入者局の構成並びその使用方法に関するものである。
【０００２】
【従来の技術】
電気通信事業者の設置する基地局と利用者宅に設置する加入者局とを無線で繋ぐ加入者系無線アクセスシステム（例えば、日経コミュニケーション、１９９９年９月６日号、１０６〜１１２頁参照）は、その利用周波数が準ミリ波帯・ミリ波帯において広く開放されたことによって、高速かつ低料金のアクセス回線を提供できるものと期待されている。特に、この従来システムにおける一システムであるＰ−ＭＰ（一対多方向方式）システム（ＡＲＩＢ  ＳＴＤ−Ｔ５９  １．０版ＡＲＩＢ  ＳＴＤ−Ｔ５９  １．０版  参照）は、基地局と数十〜数百の加入者局を一対多で結ぶものであって、ＳＯＨＯ（small office home office）や個人利用者が対象となる。上記Ｐ−ＭＰシステムの加入者系無線アクセスシステムを準ミリ波帯・ミリ波帯で実現提供するに当たり、基地局と加入者局との間の見通し通信路の確保が必要である。見通し通信路確保の方法として、高位置へのアンテナ設置や中継装置の利用があげられるが、多大なコストを要するために、容易に適用できるものではない。これと酷似した状況を有する別の無線電話システムにおいては、中継装置を安価に利用するための技術として、中継機能を有する無線電話装置が特開平１１−２４３３６２号で開示されている。
【０００３】
その内容を図１により説明する。同図中、無線電話装置９０は、第１の受信部９５と第２の送信部９６を含む第１の無線部９１と、第２の受信部９７と第１の送信部９８を含む第２の無線部９２を有する。無線電話装置９０を基地局と直接通話を行うための電話装置として使用する場合には第１の無線部９１を用いる。また、無線電話中継装置として使用する場合には、同無線電話装置９０を中継に適した場所に設置し、同図には示されていない中継機能を起動するスイッチを入れる。この際、基地局からの無線信号を他の無線電話に中継するために第１の受信部９５と第１の送信部９８を用い、他の無線電話からの無線信号を基地局に中継するために第２の受信部９７と第２の送信部９６を用いる。上記中継装置を介して無線電話として使用する場合には第２の無線部９２を用いる。
【０００４】
【発明が解決しようとする課題】
準ミリ波帯・ミリ波帯加入者系無線アクセスシステムのＰ−ＭＰシステムにおける加入者局に対して、上記無線電話装置のごとき中継機能のをもつ従来知られている装置は、付加をねらうものであるが次の課題が存在する。
【０００５】
（１）中継機能の使用要否の判定手段の開示は無く、人手を介す必要があり、非効率である。
（２）準ミリ波帯・ミリ波帯向けのＲＦモジュールはＭＭＩＣによるもので依然高価であることに加え、加入者局に送受信とも中継用と通話用の複数の送受無線部を備える必要があるため、コスト高となる。
（３）ＡＲＩＢ  ＳＴＤ−Ｔ５９  １．０版は、加入者局に指向性アンテナの使用を義務づけている。一方で、アンテナの指向方向を判定する手段の開示は無く、人手を介せば非効率である。
【０００６】
従って、本発明の主な目的は、中継機能を持つ加入者局が、人手を介することなく、中継の要否を判断し、中継の要と判断した場合、最適の中継径路及びアンテナを自動的に設定する、即ち自律的にルーティングを確立する加入者系無線アクセスシステム及びそれに使用する基地局及び加入者局を実現することである。本発明の他の目的は、上記主な目的を達成すると同時に、加入者局の送受無線部を簡易に構成することである。
【０００７】
【課題を解決するための手段】
上記目的を解決するため、基地局を介して、複数の加入者局が交信し、少なくとも１つの加入者局は別の加入者局と基地局との間で交わされる信号を中継するための機能を備える加入者系無線アクセスシステムにおいて、上記中継するための機能を備える加入者局は中継する必要の要否を判断し、中継する必要があるとき最適の中継径路を検出し、記録すると共に、上位加入者局に登録する構成とし、  上記基地局は、基地局に登録してある任意の加入者局との間で信号を交わすために、自局に登録してある別の加入者局を介す、又は介さない経路を特定するための中継径路情報を登録しておき、その中継径路情報に基づき制御、通信チャネルを割り当て加入者局に送信する構成とする。
【０００８】
上記中継機能を備える加入者局は、上記別の加入者局と基地局との間で交わされる信号を一時記憶するためのバッファと、少なくとも自局の基準無線局と自局が中継に関わる下位加入者局との間の中継経路を特定するための情報を登録しておくための第一のテーブルを備える。
【０００９】
特に好ましい実施形態では、時分割多元接続方式を特徴とする一対多方向方式の加入者系無線アクセスシステムにおいて、上記中継機能を備える加入局は、同一周波数で送受可能な無線部と、受信信号の識別と送信信号の生成と無線チャネル及び送受に用いるアンテナの管理を行う通信制御部と、受信信号よりクロックを抽出しシステムへの同期を維持するタイミング制御部と、受信信号の受信品質を測定する受信品質測定部と、上記通信制御部からの選択信号に基づいて使用するアンテナを選択するアンテナ選択部と、異なる方向にそれぞれ指向性を有する複数の指向性アンテナと、上記別の加入者局と基地局との間で交わされる信号を一時記憶するためのバッファと、上記複数の指向性アンテナをそれぞれ用いた際に自局の同期元となる無線局の情報と自局が中継に関わる下位加入者局との間の中継経路を特定するための情報とを登録しておくための第一のテーブルと、フレームフォーマットを記録しておくための第三のテーブルと、同期元無線局の探索期間の上限を報知するための第一のタイマーと、自局の下位加入者局の探索期間の上限を報知するための第二のタイマーと、外部装置との入出力を制御するためのインターフェース制御部とを備える。
【００１０】
また、上記基地局は、同一周波数で送受可能な無線部と、受信信号の識別と送信信号の生成と無線チャネルの管理を行う通信制御部と、アンテナと、各チャネルの位置を特定するためのフレームフォーマットと各チャネルの利用状況を記録しておくための第四のテーブルと、外部装置との入出力を制御するためのインターフェース制御部と、各加入者局の情報及び自局に登録した任意の加入者局との間で信号を交わすために自局に登録した別の加入者局を介す経路もしくは介さない経路を特定するための中継径路情報とを登録しておくことを用途とする第二のテーブルとを備える。
本発明で中継機能を備える加入者局は、移動可能な電話機、あるいは位置の固定の無線送受装置であっても良い。
【００１１】
【発明の実施の形態】
本発明が実施される加入者系無線アクセスシステムの一形態の構成を図２に示す。同図において、１は基地局を、２Ａ、２Ｂ、２Ｃ、２Ｄ、２Ｅ及び２Ｆは加入者局を、３は基地局１と加入者局２Ｆとの間の直接の通信路を遮る障害物を示す。基地局１及び加入者局２Ａ、２Ｂ、２Ｃ、２Ｄ、２Ｅ及び２Ｆを総称して無線局と呼ぶ。
【００１２】
各加入者局２Ａ乃至２Ｆは電波障害物３が存在しない場合は、基地局１に直接アクセスできる。しかし、電波障害物３が固定的又は移動して、基地局１とこれらの各加入者局との間に存在する場合は、基地局１に直接アクセスできない。例えば、図２に示すように電波障害物３が存在して、加入者局２Ｆが基地局１に直接アクセスするができない場合、本発明の無線アクセスシステムでは、本発明による加入者局及び基地局の構成によって、各加入者局の稼動状態、受信電波の品質の状態等を基に、基地局１−加入者局２Ａ−加入者局２Ｆの径路、１−２Ｂ−２Ｆ、１−２Ｂ−２Ｃ−２Ｄ−２Ｆ、１−２Ｄ−２Ｆ、１−２Ｅ−２Ｆ等の径路の中で最も望ましい中継径路が無線アクセスシステムの自律的ルーティング機能によって決定される。
【００１３】
以下の説明で、基地局１に直接アクセスする加入者局を直接加入者局と呼ぶ。他の加入者局を中継局として介して基地局１にアクセする加入者局を間接加入者局と呼ぶ。加入者局は障害物の状態及び加入者局の稼動状態によって、直接加入者局又は間接加入者局となる。例えば、加入者局２Ｄは通常は直接加入者局であるが、基地局１と加入者局２Ｄとの間に電波障害物が生じた場合、間接加入者局となることもある。
【００１４】
全ての加入者局は、アクセスする際には、システムに同期しているものとする。システムに同期するとは、基地局と同期をとることであり、加入者局は、基地局１と同期した別の加入者局と同期をとることによってシステムに同期してもよい。各加入者局に対して直接の同期元となる無線局を以下、基準無線局と呼ぶ。ある無線局に対して、当該無線局を直接もしくは間接的に同期元とする加入者局を上記無線局の下位加入者局と呼ぶ。例えば、図２のシステムにおいて、加入者局２Ｂ、２Ｃ、２Ｄ、２Ｆが全てシステムに同期して、基地局１と加入者局２Ｆ間で中継径路１−２Ｂ−２Ｃ−２Ｄ−２Ｆが構成されている場合、加入者局２Ｂの基準無線局は基地局１、加入者局２Ｃの基準無線局は加入者局２Ｂ、加入者局２Ｄの基準無線局は加入者局２Ｃ、加入者局２Ｅの基準無線局は加入者局２Ｄである。
【００１５】
本発明の加入者系無線アクセスシステムは、加入者局のいずれかが、電波障害物３などによって直接基地局１を基準無線局とできない時、加入者局２Ａ、２Ｂ、２Ｃ、２Ｄ、２Ｅのいずれか１つ、または複数個を中継局として動作させ、基地局１と接続される。特に中継局となる加入者局は固定的でなく、加入者局の稼動状態あるいは障害物の状態に合わせ、最適の中継径路が形成できるように、各加入者局が自ら中継径路を形成するように動作する。即ち自律的にルーティングを行う。
【００１６】
例えば、図２のように、障害物３がある場合、加入者局２Ｆと基地局１との中継径路は１−２Ｂ−２Ｃ−２Ｄ−２Ｆ、１−２Ｅ−２Ｆ、１−２Ｄ−２Ｆ、１−２Ｂ−２Ｅ−２Ｆが考えられるが、加入者局２Ｅが稼動していない、あるいは加入者局１−２Ｆ間に障害物が生じた時、中継径路１−２Ｂ−２Ｃ−２Ｄ−２Ｆか１−２Ｄ−２Ｆのいずれかを、その時の受信信号の受信品質判定して決定する。そのため、本発明の加入者系無線アクセスシステムを構成する加入者局は中継する必要の要否を判断する手段と、中継する必要があるとき最適の中継径路自動的に設定する手段を持ち、上記基地局は、自局に登録してある任意の加入者局との間で信号を交わすために、自局に登録してある別の加入者局を介すもしくは介さない経路を特定するための情報を登録しておく手段を備える。
【００１７】
以下の説明において、中継が行われる時、基地局から遠い加入者局を下位加入者局、基地局１に近い加入者局を上位加入者局と呼ぶ。例えば、中継径路が１−２Ｂ−２Ｃ−２Ｄ−２Ｆの場合、加入者局２Ｂは加入者局２Ｃの上位加入者局であり、加入者局２Ｄは加入者局２Ｃの下位加入者局である。加入者局と基地局１との間で信号を交わす際に間に介在する中継局の数を、上記加入者局の加入者局レベルと定義する。例えば、図２のシステムにおいて、基地局１と加入者局２Ｆ間で中継径路１−２Ｂ−２Ｃ−２Ｄ−２Ｆが構成されている場合、加入者局２Ｂの加入者局レベルは０であり、加入者局２Ｃの加入者局レベルは１で、加入者局２Ｄの加入者局レベルは２である。
【００１８】
基地局1から直接加入者局への無線通信路を下り無線チャネルあるいは単に下りチャネルと呼び、その逆向きの通信路を上り無線チャネルあるいは単に上りチャネルと呼ぶ。また、一つの間接加入者局の中継局となる加入者局から上記間接加入者局への通信路を下り無線チャネルあるいは単に下りチャネルと呼び、その逆向きの通信路も上り無線チャネルあるいは単に上りチャネルと呼ぶ。上り・下りそれぞれの無線チャネルを総称して無線チャネルと呼ぶ。無線周波数帯域を時分割して無線チャネルを設定する。
【００１９】
具体的には下述の３種類の無線チャネルを設ける。ただし、本発明は以下に例示したチャネルの種類に限定されるものではない。各チャネルの機能を統合してより少ない種類のチャネルを設定してもよく、また、各チャネルの機能を細かく分割してより多い種類のチャネルを設定してもよいも構わない。
【００２０】
（１）制御チャネル：システム時刻及びフレームフォーマットの報知と、着信時の加入者局の呼び出しと、発呼時の通信チャネルの予約に対する応答と、加入者局の制御チャネル予約に対する応答等に用いる。制御チャネルは基地局及び中継局となる加入者局が送信に用いる下りチャネルである。
（２）通信チャネル：基地局と加入者局との間の情報伝送サービスに用いる双方向のチャネル。
（３）予約チャネル：通信チャネルおよび及び制御チャネルの予約と、加入者局の登録と、上記諸予約および及び登録の中継等のために加入者局が送信に用いる上りチャネルである。
なお、予約チャネルをレベル分けして複数設け、加入者局の加入者局レベルに応じて上記加入者局が送信に使用可能なチャネルを規制するものとする。
【００２１】
上記フレームフォーマットの構成例を図３に示す。同図において、時間の経過を左から右への向きとし、左側をフレームの先頭側、右側をフレームの末尾側とする。２００、２０１、２０２は制御チャネルを示す。フレームの最も先頭側の制御チャネルを基地局が送信に用いるものとし、中継局となる加入者局の送信用に制御チャネルを割り当てる際には、加入者局レベルの小さい加入者局ほどフレーム先頭側の制御チャネルを割り当てる。
【００２２】
２１１、２１２、２１３、２１４は下り通信チャネルを示す。加入者局の送信用に下り通信チャネルを割り当てる際には、加入者局レベルの小さい加入者局ほどフレーム先頭側の下り通信チャネルを割り当てる。２２１、２２２、２２３、２２４は上り通信チャネルを示す。加入者局の送信用に上り通信チャネルを割り当てる際には、加入者局レベルの大きい加入者局ほどフレーム先頭側の上り通信チャネルを割り当てる。
【００２３】
２３１、２３２、２３３は予約チャネルを示す。加入者局レベルの大きい加入者局ほどフレーム先頭側の予約チャネルを送信用に用いる。例えば、加入者局レベルが２である加入者局は予約チャネル２３１を送信に使用し、加入者局レベルが１である加入者局は予約チャネル２３２を送信に使用し、加入者局レベルが０である加入者局は予約チャネル２３３を送信に使用する。
【００２４】
図４は本発明による加入者系無線アクセスシステムに含まれる中継機能を持つ加入者局の一実施形態の構成を示すブロック図である。
加入者局２は、同一周波数で送受可能な無線部１１０と、受信信号の識別と送信信号の生成と無線チャネル及び送受に用いるアンテナの管理を行う通信制御部１２１と、受信信号よりクロックを抽出しシステムへの同期を維持するタイミング制御部１２２と、受信信号の受信品質を測定する受信品質測定部１２３と、通信制御部１２１からの選択信号に基づいて一つもしくは複数のアンテナを選択するアンテナ選択部１７０と、それぞれ異なる方向に指向性を有する複数の指向性アンテナ１７１、１７２〜１７ｎと、記憶部１３０と、同期元無線局の探索期間の上限を報知するための第一のタイマー１４１及び自局の下位加入者局の探索期間の上限を報知するための第二のタイマー１４２をもつタイマー部１４０と、外部装置との入出力を制御するためのインターフェース制御部１５０とを持つ。
【００２５】
記憶部１３０は、上記複数の指向性アンテナ１７１、１７２〜１７ｎをそれぞれ用いた際に自局１００の同期元となる無線局の情報と自局が中継に関わる下位加入者局との間の中継経路を特定するための情報とを登録する第一のテーブル１３１と、各チャネルの位置を特定するフレームフォーマット等を記録しておく第三のテーブル１３２と、別の加入者局と基地局との間で交わされる信号を一時記憶するためのバッファ１３３とを含む。
【００２６】
テーブル１３１の詳細を図５を用いて説明する。テーブル１３１をｎ×ｍの行列構造に構成する。ただし、ｍは５以上の整数とする。テーブル１３１の各行の第１列目には、加入者局２が備える複数の指向性アンテナそれぞれのアンテナＩＤを重複なく格納する。
【００２７】
テーブル１３１の各行の第２列要素及び第３列要素には、それぞれ同行の第１列目記載のアンテナＩＤを有する指向性アンテナを用いて制御チャネルで受信した一つの信号に含まれる送信元の無線局ＩＤ及び中継レベルとを格納する。また、同行の第４列要素に、上記受信信号の受信品質を表す評価指数を格納する。同行の第５列目以降それぞれの要素には、同行の第１列要素に記載のアンテナＩＤを有する指向性アンテナを用いて予約チャネルでにて受信した一つの信号に含まれる登録元となる加入者局の無線局ＩＤと中継レベルと上記加入者局の中継局となる加入者局の無線局ＩＤ全て(中継径路情報)とを一組として格納する。
【００２８】
ここで、中継レベルとは、信号の中継回数を示すものであり、中継されていないオリジナルの信号には０を、同信号を１度中継した信号には１を、同信号をｎ度中継した信号にはｎを設定する。初期状態において、第１列目を除く各列の記述を空欄とし、通信制御部１２１のテーブル１３１へのポインタを同テーブルの第１行目に設定する。
【００２９】
タイマー１４２における自局の下位加入者局の探索期間の上限ｔ２を、本システムに含まれる加入者局一台が有する指向性アンテナの最大数ｎｍａｘと、タイマー１４１の同期元無線局探索期間の上限ｔ１＿によって拘束する。具体的には、
ｔ２＿  ≧  ｎｍａｘ  ×  ｔ１＿
とする。
【００３０】
続いて、加入者局２の動作について、以下に示す通り大別し、順次説明する。
【００３１】
１．初期動作
１−１．システムへ同期するための動作
１−２．システムへ登録するための動作
２．中継局に関する動作
２−１．中継路開設試験
２−２．中継局の動作
３．加入者局の諸動作
３−１．加入者局への着信
３−２．加入者局からの発信
３−３．システムへの再登録
３−４．基準無線局の変更
１．初期動作
１−１．システムへ同期するための動作
（手順１−１）通信制御部１２１はテーブル１３１へのポインタによって指し示される行の第１列目に格納されるアンテナＩＤを読み出し、アンテナ選択部１７０を制御し、上記読み出したアンテナＩＤと対応する指向性アンテナを選択する。
【００３２】
次に、タイマー１４１を起動し、無線部１１０を制御して受信待機する。上記選択した指向性アンテナを通じて無線部１１０が何らかの信号を受信すると、無線部１１０は上記受信信号を通信制御部１２１と、タイミング制御部１２２と、受信品質測定部１２３とへ伝達する。タイミング制御部１２２では受信信号よりクロック抽出を行う。受信品質測定部１２３では受信信号より受信品質を示す評価指数を算出し通信制御部１２１へ伝達する。ここで、受信品質を示す評価指数とは、例えば、受信電界強度指数（ＲＳＳＩ）やデータ誤り率など信号の受信品質を直接的あるいは間接的に示すものであればよい。いずれを用いるかは特に限定しない。
【００３３】
更に詳しく述べると、通信制御部１２１は、上記受信信号を制御チャネル信号と識別すると、同信号の所定の位置に含まれるシステム時刻情報を抽出し、当該情報をタイミング制御部１２２にセットする。こうして加入者局２はシステムに同期する。また、通信制御部１２１は、上記制御チャネル信号の所定の位置に含まれるフレームフォーマットを抽出し、そのフレームフォーマット情報をテーブル１３２に記憶する。
【００３４】
さらに、通信制御部１２１は、上記制御チャネル信号の所定の位置に含まれる送信元無線局ＩＤと、中継レベルとを抽出し、それぞれを、テーブル１３１へのポインタが指し示す行の第２列目、第３列目に記憶するほか、受信品質測定部１２３より同信号の受信品質評価指数を取得し、同行の第４列目に記憶する。システム同期後も同アンテナによる受信を継続する。別の無線局より制御チャネル信号を受信した場合には、通信制御部１２１は同信号の所定の位置に含まれる送信元の無線局ＩＤと、中継レベルとを抽出し、受信品質測定部１２３より同信号に対する受信品質評価指数を取得し、これらをテーブル１３１へのポインタが示す行に既に記憶した各値と比較する。そして、次の条件（１）又は（２）を満たすならば、上記既に記憶した各値を、上記抽出及び取得した各値で書き換える。
【００３５】
条件（１）：抽出した中継レベルが、既に記憶してあるものよりも小さい場合。
条件（２）：抽出した中継レベルが既に記憶してあるものと同じであって、かつ、受信品質評価指数が既に記録してあるものよりも良い受信品質を示している場合。  タイマー１４１は一定時間ｔ１＿経過すると、通信制御部１２１に対し一定時間の経過を通知する。通信制御部１２１は、受信有無に関わらず、タイマー１４１より一定時間の経過の通知を受けた場合、タイマー１４１を停止する（手順１−１ここまで）。
【００３６】
タイマー停止後は、テーブル１３１へのポインタが指し示す行を一つ進め、別の指向性アンテナで（手順１−１）を繰り返す。テーブル１３１へのポインタが第ｎ行を指し示している場合、すなわち、全ての指向性アンテナについて、制御チャネル信号の受信の試みを完了した後、テーブル１３１を検索し、中継レベルのもっとも小さい信号を受信した指向性アンテナのうち、受信品質最良を示すものを一つ選択し、そのアンテナＩＤを基準アンテナとして、そのアンテナＩＤを含む行に記載の送信元無線局ＩＤを基準無線局として、上記同行記載の中継レベルを加入者局レベルとして、それぞれ、テーブル１３２に記憶する。そして、後述の「１−２．システムへ登録するための動作」を引き続き実行する。もし制御チャネル信号を受信していない場合、すなわち、システムへ同期していない場合には、通信制御部１２１のテーブル１３１へのポインタを同テーブルの第１行目に再設定し、（手順１−１）を再び繰り返す。
【００３７】
１−２．システムへ登録するための動作（手順１−２）
通信制御部１２１はテーブル１３２にアクセスし、基準アンテナＩＤと、基準無線局ＩＤと、加入者局レベルとを取得し、アンテナ選択部１７０を制御して、上記基準アンテナＩＤと対応する指向性アンテナを選択し、上記加入者局レベルに適合した予約チャネルを用いて、システムへの登録を示す信号を送信する。ここで、システムへの登録を示す信号（システム登録信号と略称）には、予め定めたシステムへの登録を示す種別コードと、登録元となる自局の無線局ＩＤと、登録先の無線局ＩＤと、中継レベルとを含む。ただし、上記登録先の無線局ＩＤを基準無線局ＩＤとし、中継レベルを０とする。上記システム登録信号の送信以降、一定時間、制御チャネルを監視する（手順１−２はここまで）。
【００３８】
上記一定時間の間に受信した制御チャネル信号に上記システム登録信号に対する応答（システム登録応答と略称）が含まれていれば、本動作を終了し、そうでなければ、（手順１−２）を繰り返す。ここで上記システム登録応答とは、予め定めたレスポンス種別コードと、上記システムへの登録を示す信号に挿入した自局の無線局ＩＤとを含む信号である。
【００３９】
２．中継局に関する動作
本中継動作を実行する加入者局は、指向性アンテナ１７１〜１７ｎのいずれかを用いて、予め定めた中継レベルｎＬ以下の制御チャネル信号を受信してシステムへ同期した中継局候補となる加入者局（中継候補加入者局と略称）である。中継局候補加入者局は、受信した制御チャネル信号の内容をバッファ１３３へ一時記憶する。そして、新たな制御チャネル信号を受信する度に上記一時記憶した内容を更新する。中継局候補加入者局は定期的に中継路を開設して中継の必要有無を試験する。この手順を後記「２−１．中継路開設試験」で説明する。上記試験の結果、中継の必要が有ると判定した場合には、中継局候補加入者局は、中継局としても動作する。これを後記「２−２．中継局の動作」で説明する。
【００４０】
２−１．中継路開設試験
２−１−１．中継開設試験
中継候補加入者局において、制御チャネルを介して中継路開設試験の要請を示す信号を受信した場合、あるいはタイミング制御部１２２が予め定めた時刻を報知した場合、あるいは外部入出力装置からインターフェース制御部１５０を介して中継路開設試験の要請を示す信号を受信した場合のいずれかにあるとき、通信制御部１２１は、自局の加入者局レベルに適合した予約チャネルを用いて制御チャネルの予約を示す信号（制御チャネル予約信号と略称）を送信する。本信号は、予め定めた制御チャネルの予約を示すコマンド種別コードと、自局の無線局ＩＤとを含む。
【００４１】
上記制御チャネル予約信号の送信以降、通信制御部１２１は制御チャネルにおいて一定時間、上記制御チャネルの予約を示す信号に対する応答（制御チャネル予約応答）の有無を監視する。ここで、上記制御チャネル予約応答には、予め定めたレスポンス種別コードと、制御チャネルの割当先となる加入者局の無線局ＩＤと、割り当てた制御チャネルを特定するためのコードとを含む。
【００４２】
通信制御部１２１は、割り当て先となる加入者局の無線局ＩＤが自局のものとなる上記応答を制御チャネルで見出すと、テーブル１３１の各行の第５列目以降を空欄に設定し、テーブル１３１へのポインタを同テーブルの第１行目に設定し、上記制御チャネルを特定するためコードが特定するところの制御チャネルを用いて下記中継開設試験（手順２−１−１）を開始する。
【００４３】
（手順２−１−１）：通信制御部１２１はバッファ１３３に一時記憶した制御チャネル信号より、中継レベルを抽出し１インクリメントした値とし、上記の１インクリメントした中継レベルと、自局の無線局ＩＤと、システム時刻と別の加入者局に対して登録の募集を示すコードとを上記一時記憶した制御チャネル信号の予め定めた位置に多重し、中継用の制御チャネル信号を新たに生成する。
【００４４】
次に、通信制御部１２１は、アンテナ選択部１７０を制御して、テーブル１３１へのポインタが指し示す行の第１列に格納してあるアンテナＩＤと対応する指向性アンテナを選択し、タイマー１４２を起動し、割り当てられた制御チャネルを用いて上記生成した中継用の制御チャネル信号を送信する。タイマー１４２が一定時間の経過を報知するまでの間、通信制御部１２１は上述のごとく中継用の制御チャネル信号を生成し、上記割り当てられた制御チャネルを用いて、同アンテナからの送信を繰り返す。また、タイマー１４２が一定時間の経過を報知するまでの間、通信制御部１２１は同アンテナを用いて他の下位加入者局からの予約チャネルにおける上記システム登録信号又はシステムへの登録の中継を示す信号（システム登録中継信号）の有無を監視する。ここで、システム登録中継信号とは、予め定めたシステムへの登録の中継を示す種別コードと、登録元となる加入者局の無線局ＩＤと、登録先の無線局ＩＤと、中継レベルと、中継局となる加入者局の無線局ＩＤとを含む信号である。なお、上記システム登録中継信号は、同信号内に含む中継レベルの分、中継局となる加入者局の無線局ＩＤを含む。例えば、中継レベルが２の場合、中継局となる加入者局の無線局ＩＤを２個含む。上記中継局となる加入者局の無線局ＩＤそれぞれを、中継の経路を一意特定できる様に予め定めた順序で格納する。
【００４５】
登録先の無線局ＩＤが自局のものとなる上記システム登録信号もしくはシステム登録中継信号を別の加入者局から受信すると、当該信号をバッファ１３３に一時記憶する。次に、通信制御部１２１は当該信号に含まれる登録元となる加入者局の無線局ＩＤを抽出して、テーブル１３１の各行の第５列目以降を検索し、もし、上記抽出した無線局ＩＤと同じものが既にあれば、上記無線局ＩＤと、その中継レベルと、その中継局となる加入者局の無線局ＩＤの全てとをテーブル１３１より削除しておく。
【００４６】
検索後、テーブル１３１へのポインタが指し示す行の第５列目以降の列要素に上記抽出した無線局ＩＤと、その中継レベルと、その中継局となる加入者局の無線局ＩＤ全てとを順次更新登録する。そして、上記中継レベルに応じて次の（ｉ）又は（ｉｉ）のいずれかを処理する。
【００４７】
（ｉ）中継レベルが０である場合、上記割り当てられた制御チャネルを用いて上記抽出した無線局ＩＤが示すところの加入者局に対して、上記システム登録応答を送信する。
【００４８】
（ｉｉ）中継レベルが０でない場合、上記システム登録中継信号に対する応答を示す信号を生成し上記割り当てられた制御チャネルを用いて送信する。ここで、上記システム登録中継信号に対する応答を示す信号とは、予め定めたレスポンス種別コードと、上記システムへの登録の中継を示す信号を送信した最後の中継局となる加入者局の無線局ＩＤとを含む信号である。上記システム登録中継信号は、当該信号の中継経路を一意特定できる様に中継局となる加入者局の無線局ＩＤを格納しているので、上記システム登録中継信号を送信した最後の中継局となる加入者局の無線局ＩＤを特定することは容易である。
【００４９】
上記（ｉ）又は（ｉｉ）の処理後、「２−１−２．加入者局のシステムへの登録の中継動作」を上記（手順２−１−１）とは独立して実施する。タイマー１４２は一定時間ｔ２経過すると、通信制御部１２１に対し一定時間の経過を通知する。通信制御部１２１は、別の加入者局からの登録の有無に関わらず、タイマー１４２より一定時間の経過を通知された場合、タイマー１４２を停止する（手順２−１−１ここまで）。
【００５０】
タイマー停止後は、第一のテーブル１３１へのポインタが指し示す行を一つ進め、別の指向性アンテナで（手順２−１−１）を繰り返す。テーブル１３１へのポインタが第ｎ行を指し示している場合、すなわち、別の加入者局へ登録募集の試みを全ての指向性アンテナについて行った場合には、テーブル１３１の第５列目以降の要素にアクセスし、次の（ｉ）、（ｉｉ）の状況に合う方のいずれかを実行する。
【００５１】
（ｉ）どの行の第５列目以降の要素にも登録元となる加入者局の無線局ＩＤの記載がなければ、すなわち、当該加入者局が発信した登録募集に対して別の加入者局からの反応が無いならば、当該加入者局からの中継の必要は無しと判定する。そして、テーブル１３２にアクセスし基準アンテナＩＤと加入者局レベルとを読み出し、アンテナ選択部１７０を制御して、上記ＩＤが示すところの指向性アンテナを選択し、上記割り当てられた制御チャネルの使用終了を示す信号を、上記加入者局レベルに適合した予約チャネルを用いて送信する。ここで、制御チャネルの使用終了を示す信号とは、予め定めた制御チャネルの使用終了を告知する種別コードと、上記終了予定の制御チャネルを特定するためのコードとを含む信号である。
【００５２】
上記制御チャネルの使用終了を示す信号の送信以降、一定時間、制御チャネル信号を監視する。当該加入者局は、制御チャネル信号に、上記制御チャネルの使用終了を示す信号に対する応答を示すコードを見出すと、本動作を終了する。ここで、制御チャネルの使用終了を示す信号に対する応答を示すコードとは、予め定めた該当制御チャネルの開放を示す種別コードを含む信号である。
【００５３】
（ｉｉ）いずれかの行の第５列目以降の要素に登録元となる加入者局の無線局ＩＤの記載があれば、上記記載のあった行のアンテナＩＤ全てを、中継アンテナとして、テーブル１３２に記憶し、以後、加入者局の通常の通信チャネルでの動作に加え、中継局の動作も実施する。その詳細は後記「２−２．中継局の動作」に示す。
【００５４】
２−１−２．加入者局のシステムへの登録の中継動作
通信制御部１２１はバッファ１３３に上記一時記憶したシステムへの登録を示す信号もしくはシステムへの登録の中継を示す信号の内容より、登録元となる加入者局の無線局ＩＤと、中継レベルと、もしあれば中継局となる加入者局の無線局ＩＤとを抽出し、上記登録元となる加入者局の無線局ＩＤをそのままに、中継レベルを１だけインクリメントした値とし、中継局となる加入者局の無線局ＩＤに当該信号の中継経路を一意に特定できる様に予め定めた順序で自局の無線局ＩＤを追記し、少なくともこれら三つの要素に、予め定めたシステムへの登録の中継を示す種別コードと登録先の無線局ＩＤとを追加し、システムへの登録の中継を示す信号を生成する。ただし、上記登録先の無線局ＩＤを、テーブル１３２記載の基準無線局ＩＤとする。そして、次の（手順２−１−２）を行う。
【００５５】
（手順２−１−２）通信制御部１２１は、テーブル１３２にアクセスし、基準アンテナＩＤを取得し、アンテナ選択部１７０を制御して、上記基準アンテナのＩＤと対応する指向性アンテナを選択し、自局の加入者局レベルに適合した予約チャネルを用いて上記生成したシステムへの登録の中継を示す信号を送信する。上記のシステムへの登録の中継を示す信号の送信以降、一定時間、制御チャネルを監視する。（手順２−１−２ここまで）。
【００５６】
上記一定時間の間に受信した制御チャネル信号に上記送信したシステムへの登録の中継を示す信号に対する応答が含まれていれば、当該中継動作を終了し、そうでなければ、（手順２−１−２）を繰り返す。ここでシステムへの登録の中継を示す信号に対する応答とは、予め定めたレスポンス種別コードと、上記システムへの登録の中継を示す信号に挿入した自局の無線局ＩＤとを含む。
【００５７】
２−２．中継局の動作
本中継動作を実行する加入者局は、制御チャネルを割り当てられた加入者局に限る。中継局の動作において、アンテナ選択の際に特に記述のない場合、基準局との通信には基準アンテナを、下位加入者局と通信する場合には中継アンテナを原則として用いる。
【００５８】
２−２−１．制御チャネル信号の転送
制御チャネルを割り当てられた加入者局において、通信制御部１２１はバッファ１３３に一時記憶した制御チャネル信号より、中継レベルを抽出し１インクリメントした値とし、上記の１インクリメントした中継レベルと、自局の無線局ＩＤと、システム時刻とを上記一時記憶した制御チャネル信号の予め定めた位置に多重し、中継用の制御チャネル信号を新たに生成する。次に、通信制御部１２１は、テーブル１３２より中継アンテナＩＤを読み出し、アンテナ選択部１７０を制御して上記中継アンテナＩＤと対応する指向性アンテナを全て選択し、自局に割り当てられている制御チャネルを用いて上記中継用の制御チャネル信号を送信する。
【００５９】
２−２−２．別の加入者局のシステムへの登録の中継
制御チャネルを割り当てられた加入者局において、通信制御部１２１はテーブル１３２より中継アンテナＩＤを読み出し、アンテナ選択部１７０を制御して上記中継アンテナＩＤと対応する指向性アンテナを全て選択し、予約チャネルにおけるシステムへの登録を示す信号もしくはシステムへの登録の中継を示す信号の有無を監視する。
【００６０】
登録先の無線局ＩＤが自局のものとなるシステム登録信号もしくはシステム登録中継信号を別の加入者局から受信すると、当該信号をバッファ１３３に一時記憶する。次に、通信制御部１２１は当該信号に含まれる登録元となる加入者局の無線局ＩＤを抽出する。続いて、通信制御部１２１はテーブル１３２にアクセスし、中継アンテナＩＤを取得し、テーブル１３１の第１列目において上記取得した中継アンテナＩＤが記載されている行それぞれの第５列目以降を検索し、もし、上記抽出した無線局ＩＤと同じものが既にあれば、上記無線局ＩＤと、その中継レベルと、その中継局となる加入者局の無線局ＩＤ全てとをテーブル１３１の上記検索した行の要素より削除しておく。検索後、上記取得した中継アンテナＩＤが記載されている行それぞれの第５列目以降空欄となっている要素に、上記受信した信号に含まれる登録元となる加入者局の無線局ＩＤと、中継レベルと、中継局となる無線局のＩＤ全てとを追加する。そして、上記中継レベルに応じて次の（ｉ）（ｉｉ）いずれかを処理する。
【００６１】
（ｉ）中継レベルが０である場合、上記割り当てられた制御チャネルを用いて上記抽出した無線局ＩＤが示すところの加入者局に対して、上記登録への応答を示す信号を送信する。ここで、登録への応答を示す信号とは、予め定めた登録への応答を示す種別コードと、応答先の無線局ＩＤとを含む信号である。
（ｉｉ）中継レベルが０でない場合、システム登録中継信号に対する応答信号を生成し上記割り当てられた制御チャネルを用いて送信する。
【００６２】
また、通信制御部１２１はバッファ１３３に上記一時記憶したシステム登録信号もしくはシステム登録中継信号の内容より、登録元となる加入者局の無線局ＩＤと、中継レベルと、もしあれば中継局となる加入者局の無線局ＩＤとを抽出し、上記登録元となる加入者局の無線局ＩＤをそのままに、中継レベルを１だけインクリメントした値とし、中継局となる加入者局の無線局ＩＤに当該信号の中継経路を一意に特定できる様に予め定めた順序で自局の無線局ＩＤを追記し、少なくともこれら三つの要素に、予め定めたシステムへの登録の中継を示すコードと登録先の無線局ＩＤとを追加し、システムへの登録の中継を示す信号を生成する。ただし、上記登録先の無線局ＩＤを、テーブル１３２記載の基準無線局ＩＤとする。そして、次の（手順２−２−２）を行う。
【００６３】
（手順２−２−２）通信制御部１２１は、テーブル１３２にアクセスし、基準アンテナＩＤを取得し、アンテナ選択部１７０を制御して、上記基準アンテナのＩＤと対応する指向性アンテナを選択し、自局の加入者局レベルに適合した予約チャネルを用いて上記生成したシステム登録中継信号を送信する。上記システム登録中継信号の送信以降、一定時間、制御チャネルを監視する（手順２−２−２ここまで）。
【００６４】
上記一定時間の間に受信した制御チャネル信号に上記送信したシステム登録中継信号に対する応答が含まれていれば、当該中継動作を終了し、そうでなければ、（手順２−２−２）を繰り返す。
【００６５】
２−２−３．別の加入者局への着信の中継
制御チャネルを割り当てられた加入者局において、通信制御部１２１は制御チャネルにおける加入者局への着信を示す信号の有無を監視する。ここで、加入者局への着信を示す信号とは、予め定めた加入者局への着信を示す種別コードと、着信先となる加入者局の無線局ＩＤと、上記着信先となる加入者局に割り当てられた上下の通信チャネルを特定するためのコードと、上記着信先となる加入者局の中継局となる加入者局の無線局ＩＤと、上記中継局となる加入者局の中継用に割り当てられた上下の通信チャネルを特定するためのコードとを含む信号であるものとする。
【００６６】
なお、上記着信信号は、上記中継局となる加入者局の無線局ＩＤと、上記中継局となる加入者局の中継用に割り当てられた上下の通信チャネルを特定するためのコードとを、上記着信先加入者局と基地局との間を中継する加入者局の数だけ含む。上記中継局となる加入者局の無線局ＩＤと、上記中継局となる加入者局の中継用に割り当てられた上下の通信チャネルを特定するためのコードとを、基地局と上記着信先加入者局との間の中継経路を特定出来る様に、予め定めた順に格納する。
【００６７】
通信制御部１２１は、加入者局への着信を示す信号において、着信先となる加入者局の無線局ＩＤが自局のテーブル１３１のいずれかの行の第５列目以降の列要素に含まれていることと、中継局となる加入者局の無線局ＩＤに自局の無線局ＩＤが含まれることとを見いだすと、上記加入者局への着信を示す信号により特定される中継経路に基づいて、自局の受信すべき上下の通信チャネルと、中継用に自局へ割り当てられた上下の通信チャネルとを識別する。そして、上記識別した自局の受信すべき下り通信チャネルにて受信した信号をバッファ１３３に一時記憶し、当該信号を中継用に自局へ割り当てられた下り通信チャネルを用いて送信するとともに、上記識別した自局の受信すべき上り通信チャネルにて受信した信号をバッファ１３３に一時記憶し、当該信号を中継用に自局へ割り当てられた上り通信チャネル用いて送信する。
【００６８】
２−２−４．別の加入者局からの発信の中継
制御チャネルを割り当てられた加入者局において、通信制御部１２１は、予約チャネルで、自局の下位加入者局から通信チャネルの予約を示す信号（通信チャネル予約信号と略称）を受信すると、当該信号をバッファ１３３に一時記憶する。ここで、通信チャネル予約信号とは、予め定めた通信チャネルの予約を示す種別コードと、予約元となる加入者局の無線局ＩＤとを含む。通信制御部１２１は、自局の加入者局レベルに適合した予約チャネルを用いて、上記一時記憶した通信チャネル予約信号を自局の基準無線局へ転送する。以後、上記「２−２−３．別の加入者局への着信の中継」と同じ手順を行う。
【００６９】
２−２−５．制御チャネルの予約の中継
制御チャネルを割り当てられた加入者局において、通信制御部１２１は予約チャネルにおける制御チャネル予約信号の有無を監視する。制御チャネル予約信号を別の加入者局から受信すると、当該信号をバッファ１３３に一時記憶する。次に、通信制御部１２１はテーブル１３１にアクセスし、上記受信した制御チャネル予約信号に含まれる予約元となる加入者局の無線局ＩＤの、テーブル１３１のいずれかの行の第５列目以降の列要素への、登録有無を検査する。もし、登録が有れば、通信制御部１２１は、テーブル１３２にアクセスし、基準アンテナＩＤと加入者局レベルとを読み出し、アンテナ選択部１７０を制御して、上記基準アンテナＩＤと対応する指向性アンテナを選択し、上記加入者局レベルに適合した予約チャネルを用いて、自局の基準無線局へ上記一時記憶した制御チャネル予約信号を転送する。
【００７０】
２−２−６．制御チャネルの使用終了の中継
制御チャネルを割り当てられた加入者局において、通信制御部１２１は、別の加入者局からの予約チャネルにおける制御チャネルの使用終了を示す信号の有無を監視する。ここで、制御チャネルの使用終了を示す信号とは、予め定めた制御チャネルの使用終了を告知する種別コードと、上記終了予定の制御チャネルを特定するためのコードとを含む信号であるものとする。制御チャネルの使用終了を示す信号を受信すると、当該信号をバッファ１３３に一時記憶する。
【００７１】
次に、通信制御部１２１は、テーブル１３２にアクセスし、基準アンテナＩＤと加入者局レベルとを読み出し、アンテナ選択部１７０を制御して、上記基準アンテナのＩＤと対応する指向性アンテナを選択し、上記加入者局レベルに適合した予約チャネルを用いて、自局の基準無線局へ上記一時記憶した制御チャネルの使用終了を示す信号を転送する。
【００７２】
３．加入者局の諸動作
本動作において、アンテナ選択の際に特に記述のない場合、基準局との通信には基準アンテナを原則として用いるものとする。
【００７３】
３−１．加入者局への着信
加入者局２において、通信制御部１２１は制御チャネルで加入者局への着信を示す信号の有無を監視する。ここで、加入者局への着信示す信号は、予め定めた加入者局への着信を示す種別コードと、着信先となる加入者局の無線局ＩＤと、上記加入者局に割り当てられた上下の通信チャネルを特定するためのコードとを含む。通信制御部１２１は、上記加入者局への着信を示す信号で、着信先となる加入者局の無線局ＩＤが自局の無線局ＩＤであることを識別すると、上記信号に含まれているコードが特定するところの通信チャネルを用いて通信を開始する。
【００７４】
３−２．加入者局からの発信
加入者局２において、通信制御部１２１は、自局の加入者局レベルに適合した予約チャネルを用いて通信チャネルの予約を示す信号（通信チャネル予約信号）を送信する。上記通信チャネル予約信号には、予め定めた通信チャネルの予約を示す種別コードと、予約元である自局の無線局ＩＤとを含む。上記通信チャネル予約信号の送信以降、一定時間、制御チャネルにおいて加入者局への着信を示す信号の有無を監視する。ここで、加入者局への着信を示す信号は、予め定めた加入者局への着信を示すコードと、着信先となる加入者局の無線局ＩＤと、上記着信先となる加入者局に割り当てられた上下の通信チャネルを特定するためのコードとを含む。
【００７５】
通信制御部１２１は、制御チャネルにおいて、加入者局への着信を示す信号を識別し、かつ、上記加入者局への着信を示す信号内に含まれる着信先となる加入者局の無線局ＩＤが自局の無線局ＩＤであることを識別すると、上記加入者局への着信を示す信号内に含まれるコードが特定するところの通信チャネルを用いて通信を開始する。
【００７６】
３−３．システムへの再登録
加入者局において、自局の基準無線局から制御チャネルを介して登録募集を示した信号を受信した場合、通信制御部１２１は、タイマー１４２にアクセスして、その稼働状態を調べ、タイマー１４２が停止していればこれを起動してから次の（手順３−３）を実施する。もし、タイマー１４２が稼働状態にあれば、登録募集を示す信号を既に受信したものとして（手順３−３）を実施しない。上記登録募集を示す信号ととは、予め定めた登録募集を示す種別コードを含む信号である。
【００７７】
タイマー１４２は一定時間ｔ２経過すると通信制御部１２１へ一定時間ｔ２の経過を報知する。一定時間ｔ２の経過の報知を受けた通信制御部１２１はタイマー１４２を停止する。
【００７８】
（手順３−３）通信制御部１２１はテーブル１３２にアクセスし、基準アンテナＩＤと、基準無線局ＩＤと、加入者局レベルとを取得し、アンテナ選択部１７０を制御して、上記基準アンテナＩＤと対応する指向性アンテナを選択し、自局の加入者局レベルに適合した予約チャネルを用いて、システム登録信号を送信する。さらに、自局が中継局である場合、すなわち、テーブル１３１において、任意の行の第５列目以降の列要素に加入者局の無線局ＩＤを登録している場合には、上記登録している加入者局分全てについて、前記システム登録中継信号を送信する。
【００７９】
システム登録中継信号とは、予め定めたシステムへの登録を示す種別コードと、登録元となる自局の無線局ＩＤと、登録先の無線局ＩＤと、中継レベルとを含む。なお、登録先の無線局ＩＤを基準無線局のＩＤとし、中継レベルを０とする。また、上記システムへの登録の中継を示す信号とは、予め定めたシステムへの登録の中継を示す種別コードと、登録先の無線局ＩＤと、登録元となる加入者局の無線局ＩＤと、その中継レベルと、その中継局となる加入者局の無線局ＩＤ全てとを含む信号である。上記登録先の無線局ＩＤを基準無線局ＩＤとする。上記登録元となる加入者局の無線局ＩＤ、その中継レベル、その中継局となる加入者局の無線局ＩＤ全てを、それぞれ、テーブル１３１において第５列目以降の行列要素に登録した加入者局の無線局ＩＤ、同行列要素に追記してある中継レベルを１だけインクリメントした値、同行列要素に追記してある中継局となる全ての加入者局の無線局ＩＤに自局の無線局ＩＤを追加したものとする。なお、上記中継局となる全ての加入者局の無線局ＩＤに自局の無線局ＩＤを追加するに際し、上記登録元加入者局と自局との間の中継経路を一意に特定できる様に、予め定めた順序で自局の無線局ＩＤを追加するものとする。システムへの登録を示す信号もしくはシステムへの登録の中継を示す信号を複数局分送信する場合には、予め定めた順序で一つの信号に多重化して送信してもよい。上記システム登録信号もしくはシステムへ登録中継信号の送信以降、一定時間、制御チャネルを監視する（手順３−３ここまで）。
【００８０】
上記一定時間の間に受信した制御チャネル信号に上記システム登録信号もしくはシステム登録中継信号それぞれに対する応答が含まれていれば、本動作を終了し、含まれていなければ、（手順３−３）を繰り返す。上記システム登録信号に対する応答は、予め定めたレスポンス種別コードと、上記システム登録信号に挿入した自局の無線局ＩＤとを含む。また、上記システム登録中継信号に対する応答とは、予め定めたレスポンス種別コードと、上記システム登録中継信号に挿入した自局の無線局ＩＤとを含む。
【００８１】
３−４．基準無線局の変更
システムへの登録を完了した間接加入者局において、通信制御部１２１は、テーブル１３１へのポインタを同テーブルの第１行目に設定し、次の（手順３−４−１）を実施する。
【００８２】
（手順３−４−１）通信制御部１２１は、基準無線局とは別の無線局が送信に用いる制御チャネルにおいて、テーブル１３１へのポインタによって指し示される行の第１列目に格納されるアンテナＩＤを読み出し、アンテナ選択部１７０を制御し、上記読み出されたアンテナＩＤと対応する指向性アンテナを選択し、タイマー１４１を起動し、無線部１１０を制御して受信待機する。上記チャネルにおいて、通信制御部１２１は、制御チャネル信号を受信した場合、同信号の所定の位置に含まれる送信元の無線局ＩＤと、中継レベルとを抽出し、受信品質測定部１２３より同信号に対する受信品質評価指数を取得し、これらを、テーブル１３１へのポインタが示すところの行に既に記憶した各値と比較し、次の条件（１）又は（２）を満たすならば、上記既に記憶した各値を上記抽出及び取得した各値により書き換える。
【００８３】
条件（１）：抽出した中継レベルが、既に記憶してあるものよりも小さい場合。
【００８４】
条件（２）：抽出した中継レベルが既に記憶してあるものと同じであって、かつ、受信品質評価指数が既に記憶してあるものよりも良い受信品質を示している場合。
【００８５】
上記書き換えが生じた場合、さらに次の条件（３）、（４）又は（５）のいずれかを満たすならば、テーブル１３１へのポインタが指し示す第１列目に格納したアンテナＩＤを基準アンテナとして、その送信元無線局ＩＤを基準無線局として、その中継レベルを加入者局レベルとして、それぞれ、テーブル１３２に記憶する。そして、タイマー１４１を停止し、（手順３−４−１）を抜けて、基準無線局を変更するために、以下に示す（手順３−４−２）を実施する。
【００８６】
条件（３）：テーブル１３１へのポインタが指し示す行の第１列目に格納しているアンテナＩＤが基準アンテナＩＤと同じものである場合。
【００８７】
条件（４）：テーブル１３１へのポインタが指し示す行の第３列目に記憶した中継レベルが、テーブル１３１において第１列目のアンテナＩＤが基準アンテナＩＤと同じとなる行の第３列目に格納されている中継レベルよりも小さい場合。
【００８８】
条件（５）：テーブル１３１へのポインタが指し示す行の第３列目に記憶した中継レベルが、テーブル１３１において第１列目のアンテナＩＤが基準アンテナＩＤと同じとなる行の第３列目に記憶されている中継レベルと同じであって、かつ、テーブル１３１へのポインタが指し示す行の第４列目に記憶した受信品質評価指数が、テーブル１３１において第１列目のアンテナＩＤが基準アンテナＩＤと同じとなる行の第４列目に記憶されている受信品質評価指数よりも良い受信品質を示している場合。
【００８９】
上記各条件を満たさない場合、第一のタイマー１４１は一定時間ｔ１経過すると、通信制御部１２１に対し一定時間の経過を通知するので、通信制御部１２１は、書き換え有無に関わらず、タイマー１４１を停止する（手順３−４−１ここまで）。
【００９０】
タイマー１４１が停止後は、テーブル１３１へのポインタが指し示す行を一つ進め、別の指向性アンテナで（手順３−４−１）を繰り返す。テーブル１３１へのポインタが第ｎ行を指し示している場合、第１行目に再設定し（手順３−４−１）を再び繰り返す。
【００９１】
（手順３−４−２）通信制御部１２１はテーブル１３２にアクセスし、基準アンテナＩＤと、基準無線局ＩＤと、加入者局レベルとを取得し、アンテナ選択部１７０を制御して、上記基準アンテナＩＤと対応する指向性アンテナを選択し、自局の加入者局レベルに適合した予約チャネルを用いて、システム登録信号を送信する。さらに、自局が中継局である場合、すなわち、テーブル１３１において、任意の行の第５列目以降の列要素に加入者局の無線局ＩＤを登録している場合は、上記登録している加入者局分全てについて、システム登録中継信号を送信する。
【００９２】
上記システム登録信号は、予め定めたシステムへの登録を示すコードと、登録元となる自局の無線局ＩＤと、登録先の無線局ＩＤと、中継レベルとを含む。なお、登録先の無線局ＩＤを基準無線局のＩＤとし、中継レベルを０とする。また、上記システム登録中継信号は、予め定めたシステムへの登録の中継を示すコードと、登録先の無線局ＩＤと、登録元となる加入者局の無線局ＩＤと、その中継レベルと、その中継局となる加入者局の無線局ＩＤ全てとを含む。上記登録先の無線局ＩＤを基準無線局ＩＤとする。上記登録元となる加入者局の無線局ＩＤ、その中継レベル、その中継局となる加入者局の無線局ＩＤ全てを、それぞれ、テーブル１３１において第５列目以降の行列要素に登録した加入者局の無線局ＩＤ、同行列要素に追記してある中継レベルを１だけインクリメントした値、同行列要素に追記してある中継局となる全ての加入者局の無線局ＩＤに自局の無線局ＩＤを追加したものとする。
【００９３】
なお、上記中継局となる全ての加入者局の無線局ＩＤに自局の無線局ＩＤを追加するに際し、上記登録元加入者局と自局との間の中継経路を一意に特定できる様に、予め定めた順序で自局の無線局ＩＤを追加する。上記システム登録信号もしくはシステム登録中継信号を複数局分送信する場合には、予め定めた順序で一つの信号に多重化して送信してもよい。上記システム登録信号もしくはシステム登録中継信号の送信以降、一定時間、制御チャネルを監視する（手順３−４−２ここまで）。
【００９４】
上記一定時間の間に受信した制御チャネル信号に上記システム登録信号もしくはシステム登録中継信号それぞれに対する応答が含まれていれば、本動作を終了し、そうでなければ（手順３−４−２）を繰り返す。上記システム登録信号に対する応答とは、予め定めたレスポンス種別コードと、上記システム登録信号に挿入した自局の無線局ＩＤとをも含む信号である。また、上記システム登録中継信号に対する応答とは、予め定めたレスポンス種別コードと、上記システム登録中継信号に挿入した自局の無線局ＩＤとを含む信号であるものとする。
【００９５】
図６は、本発明による加入者系無線アクセスシステムに含まれる基地局の一実施形態の構成を示す。同図において、１は基地局を、０１０は同一周波数で送受可能な無線部を、０２１は受信信号の識別と送信信号の生成と無線チャネルの管理を行う通信制御部を、０３０は記憶部を、０３１は加入者局に関する情報を記録しておくための第二のテーブルを、０３２は各チャネルの位置を特定するためのフレームフォーマットと各チャネルの利用状況を記録する第四のテーブルを、０５０は外部装置との入出力を制御するインターフェース制御部を、０７０はアンテナを示す。
【００９６】
テーブル０３１の詳細を図７を用いて説明する。テーブル０３１をＸ（整数）×３の行列構造で構成する。ただし、Ｘを基地局１が登録できる加入者局数の上限とする。テーブル０３１の各行の第１列要素には登録のあった加入者局の無線局ＩＤを重複なく格納する。テーブル０３１の各行の第２列要素には同行の第１列要素に記載の無線局ＩＤを有する加入者局の中継レベルを格納する。第３列要素には同行の第１列要素に記載の無線局ＩＤを有する加入者局の中継局となる無線局のＩＤ全てを格納する。ここで、中継レベルを、上記第１列要素に記載の無線局ＩＤを有する加入者局と当該基地局との間で信号を交わす際、間に介す中継局となる加入者局の数とする。例えば、直接加入者局には０を、中継局を１台介す間接加入者局には１を設定する。また、上記中継局となる加入者局の無線局ＩＤ全てを第３列要素に格納する際には、上記第１列要素に記載の無線局ＩＤを有する加入者局と当該基地局との間で信号を交わす場合の中継経路を一意に特定できる様に予め定めた順序で配列する。初期状態において、第１列目を除く各列の記述を空欄とし、通信制御部０２１の第一のテーブル０３１へのポインタを同テーブルの第１行目に設定する。
【００９７】
次に基地局の動作について説明する。基地局の動作を、次に大別し、順次説明する。
４．加入者局の登録受付
５．制御チャネルの割り当てと開放
６．加入者局の発着信
４．加入者局の登録受付
基地局１において、通信制御部０２１は予約チャネルにおける前記システム登録信号もしくはシステム登録中継信号の有無を監視する。登録先の無線局ＩＤが自局の（即ち基地局）ものとなるシステム登録信号もしくはシステム登録中継信号を加入者局から受信すると、同信号よりまず、登録元となる加入者局の無線局ＩＤを抽出する。そして、通信制御部０２１はテーブル０３１にアクセスし、同テーブルの第１列目を検索し、もし、上記登録元となる加入者局の無線局ＩＤの記載があれば、同行の各列を一旦空欄にする。
【００９８】
次に、通信制御部０２１は、上記登録元となる加入者局の無線局ＩＤの記載の有無に関わらず、同テーブルの第１列目が空欄となる行を一つ選択し、同行の第１列目に上記登録元となる加入者局の無線局ＩＤに格納する。次に上記受信した信号より中継レベルを抽出し、上記行の第２列目に格納する。ここで、上記中継レベルの値が０でないならば、さらに上記受信した信号より中継局となる無線局のＩＤ全てを抽出し、上記行の第３列目に格納する。そして、上記中継レベルに応じて次の（ｉ）又は（ｉｉ）いずれかを処理する。
【００９９】
（ｉ）中継レベルが０である場合、通信制御部０２１は、制御チャネルを用いて上記抽出した無線局ＩＤが示すところの加入者局に対して、上記登録への応答を示す信号を送信する。この登録への応答を示す信号とは、予め定めた登録への応答を示す種別コードと、応答先の無線局ＩＤとを含む信号である。
（ｉｉ）中継レベルが０でない場合、通信制御部０２１は、前記システム登録中継信号に対する応答信号を生成し制御チャネルを用いて送信する。
【０１００】
５．制御チャネルの割り当てと開放
５−１．制御チャネルの割り当て
基地局１において、通信制御部０２１は前述の予約チャネルにおける制御チャネル予約信号の有無を監視する。制御チャネルの予約を示す信号を加入者局から受信すると、通信制御部０２１は、テーブル０３２にアクセスし、制御チャネルの空きの有無を調査する。もし、空きがあれば、空いている制御チャネルをテーブル０３２より一つ選択し、当該チャネルを使用する旨をテーブル０３２に記載し、前記制御チャネル予約信号に対する応答を作成し、制御チャネルを用いて送信する。
【０１０１】
５−２．制御チャネルの開放
基地局１において、通信制御部０２１は前述の予約チャネルおける制御チャネルの使用終了を示す信号の有無を監視する。上記制御チャネルの使用終了を示す信号を受信すると、通信制御部０２１はテーブル０３２にアクセスし、上記受信した制御チャネルの使用終了を示す信号に含まれるコードによって特定されるところの制御チャネルの使用状況を「空き」に設定する。そして、当該制御チャネルの使用終了を示す信号に対する応答を生成し、制御チャネルを用いて送信する。
【０１０２】
６．加入者局の発着信
６−１．加入者局への着信
基地局１において、通信制御部０２１は、インターフェース制御部０５０からの加入者局への着信信号の有無を監視する。ここで、加入者局への着信信号には、加入者局を特定するための無線局ＩＤと、予め定められた加入者局への着信を示すコードとを含む。加入者局への着信信号を識別すると、当該信号より加入者局を特定するための無線局ＩＤを抽出する。そして、通信制御部０２１は加入者登録テーブル０３１の各行の第１列目を順にアクセスし、上記無線局ＩＤの有無を確認する。
【０１０３】
もし、上記無線局ＩＤがあれば、次に同行の第２列目に格納した中継レベルを抽出する。上記抽出した中継レベルに応じて次の（ｉ）又は（ｉｉ）を実行する。
【０１０４】
（ｉ）中継レベルが０である場合、通信制御部０２１は、テーブル０３２にアクセスし、少なくとも上下一組の通信チャネルの空きの有無を調査する。もし、空きがあれば、空いている上下一組の通信チャネルをテーブル０３２より選択し、当該チャネルを使用する旨をテーブル０３２に記載し、制御チャネルを用いて、加入者局への着信を示す信号を送信する。ここで、加入者局への着信を示す信号とは、予め定めた加入者局への着信を示す種別コードと、着信先となる加入者局の無線局ＩＤと、上記加入者局に割り当てた上下一組の通信チャネルを特定するためのコードとを少なくとも含む信号である。
【０１０５】
続いて、上記割り当てた通信チャネルのうち上り通信チャネルを監視する。当該チャネルにおいて、上記着信先の加入者局より応答があった場合には、上記割り当てた上下の通信チャネルを介して、外部入出力装置と着信先の加入者局との間の通信を継続する。
【０１０６】
（ｉｉ）中継レベルがｎ（ｎは１以上の整数）である場合、通信制御部０２１は、テーブル０３２にアクセスし、少なくとも上下｛ｎ＋１｝組の通信チャネルの空きの有無を調査する。もし、空きがあれば、空いている上下｛ｎ＋１｝組の通信チャネルをテーブル０３２より選択し、当該チャネルを使用する旨をテーブル０３２に記載する。次いで、加入者登録テーブル０３１において、上記着信先となる加入者局の無線局ＩＤが記載されている同行の第３列目に格納してある中継局となる加入者局の無線局ＩＤ全てを抽出し、上記選択した上下｛ｎ＋１｝組の通信チャネルを特定するためのコードと合わせて、加入者局への着信を示す信号を生成し、当該信号を制御チャネルを用いて送信する。ここで、加入者局への着信を示す信号ととは、予め定めた加入者局への着信を示す種別コードと、着信先となる加入者局の無線局ＩＤと、上記着信先となる加入者局に割り当てた上下の通信チャネルを特定するためのコードと、上記着信先となる加入者局の中継局となる加入者局の無線局ＩＤと、上記中継局となる加入者局の中継用に割り当てた上下の通信チャネルを特定するためのコードとを含む信号である。
【０１０７】
なお、上記中継局となる加入者局の無線局ＩＤと、上記中継局となる加入者局の中継用に割り当てた上下の通信チャネルを特定するためのコードとを、上記着信先の加入者局と基地局との間を中継する加入者局の数だけ含む。上記中継局となる加入者局の無線局ＩＤと、上記中継局となる加入者局の中継用に割り当てられた上下の通信チャネルを特定するためのコードとを、基地局と上記着信先加入者局との間の中継の経路を特定出来る様に、予め定めた順に格納する。
【０１０８】
通信制御部０２１は、上記割り当てた通信チャネルのうち少なくとも最後に基地局に中継する様に中継局に割り当てた上り通信チャネルを監視する、当該チャネルにおいて、中継局となる加入者局より応答があった場合には、上記割り当てた上下の通信チャネルを介して、外部入出力装置と着信先の加入者局との間の通信を継続する。
【０１０９】
６−２．加入者局からの発信
基地局１において、通信制御部０２１は予約チャネルにおける通信チャネルの予約を示す信号の有無を監視する。ここで、通信チャネルの予約を示す信号とは、予め定めた通信チャネルの予約を示す種別コードと、予約元となる加入者局の無線局ＩＤを含む信号である。通信チャネルの予約を示す信号を加入者局から受信すると、同信号よりまず、予約元となる加入者局の無線局ＩＤを抽出する。そして、通信制御部０２１はテーブル０３１にアクセスし、同テーブルの第１列目に上記登録元の無線局ＩＤの記載のある行の第２列目の中継レベルを抽出する。上記抽出した中継レベルに応じて次の（ｉ）もしくは（ｉｉ）を実行する。
【０１１０】
（ｉ）中継レベルが０ならば、通信制御部０２１は、テーブル０３２にアクセスし、少なくとも上下一組の通信チャネルの空きの有無を調査する。もし、空きがあれば、空いている上下一組の通信チャネルをテーブル０３２より一つ選択し、当該チャネルを使用する旨をテーブル０３２に記載し、制御チャネルを用いて、上記予約元の加入者局への着信を示す信号を送信する。ここで、加入者局への着信を示す信号とは、予め定めた加入者局への着信を示す種別コードと、着信先となる加入者の無線局ＩＤと、上記着信先となる加入者局に割り当てた上下一組の通信チャネルを特定するためのコードとを含む信号である。そして、基地局１は、上記割り当てた通信チャネルのうち上り通信チャネルを監視する。当該チャネルにおいて、上記着信先となる加入者局より応答があった場合には、上記割り当てた上下の通信チャネルを介して、外部入出力装置と上記加入者局との間で通信を継続する。
【０１１１】
（ｉｉ）中継レベルがｎ（ｎは１以上の整数）である場合、通信制御部０２１は、テーブル０３２にアクセスし、少なくとも上下｛ｎ＋１｝組の通信チャネルの空きの有無を調査する。もし、空きがあれば、空いている上下｛ｎ＋１｝組の通信チャネルを上記テーブル０３２より選択し、当該チャネルを使用する旨をテーブル０３２に記載する。次いで、加入者登録テーブル０３１において、上記着信先となる加入者局の無線局ＩＤが記載されている同行の第３列目に格納してある中継局となる加入者局の無線局ＩＤ全てを抽出し、上記選択した上下｛ｎ＋１｝組の通信チャネルを特定するためのコードと合わせて、加入者局への着信を示す信号を生成し、当該信号を制御チャネルを用いて送信する。ここで、加入者局への着信を示す信号とは、予め定めた加入者局への着信を示す種別コードと、着信先となる加入者局の無線局ＩＤと、上記着信先となる加入者局に割り当てた上下の通信チャネルを特定するためのコードと、上記着信先となる加入者局の中継局となる加入者局の無線局ＩＤと、上記中継局となる加入者局の中継用に割り当てた上下の通信チャネルを特定するためのコードとを含む信号である。
【０１１２】
なお、上記中継局となる加入者局の無線局ＩＤと、上記中継局となる加入者局の中継用に割り当てた上下の通信チャネルを特定するためのコードとを、上記着信先の加入者局と基地局との間を中継する加入者局の数だけ含む。上記中継局となる加入者局の無線局ＩＤと、上記中継局となる加入者局の中継用に割り当てた上下の通信チャネルを特定するためのコードとを、基地局１と上記着信先加入者局との間の中継の経路を特定出来る様に、予め定めた順に格納する。
【０１１３】
通信制御部０２１は、上記割り当てた通信チャネルのうち少なくとも最後に基地局に中継する様に中継局に割り当てた上り通信チャネルを監視する当該チャネルにおいて、中継局となる加入者局より応答があった場合には、上記割り当てた上下の通信チャネルを介して、外部入出力装置と着信先の加入者局との間の通信を継続する。
【０１１４】
図８は本発明による加入者系無線アクセスシステムの他の実施形態に使用される加入者局の構成を示す図である。本実施形態は、加入者局のアンテナに課せられる指向特性の要件が緩和されるなどして、上記加入者局の備えるアンテナを一つとする場合に好ましい構成である。図４の加入者局２と比較して、図８の加入者局２Ｇの異なる箇所は、アンテナ１７１Ｇと、通信制御部１２１Ｇと、第一のテーブル１３１Ｇとである。通信制御部１２１Ｇは、図４に含まれる通信制御部１２１と比較すると、特に送受に用いるアンテナの管理を行う機能を必要としない。また、テーブル１３１Ｇは、図５に示す例において、ｎ＝１とした、一つの行を含む場合でよい。さらに、加入者局２Ｇの備えるアンテナ１７１Ｇは一つだけであるので、アンテナＩＤを格納するためのテーブル１３１Ｇの第１列目を省略してもよい。そして、システムに含まれる加入者局の有するアンテナの最大数ｎｍａｘが１である場合、第二のタイマー１４２を省略して、第一のタイマー１４１を代替使用してよい。
【０１１５】
次に本発明による加入者系無線アクセスシステムの使用方法の一形態として、加入者への課金方法について述べる。
加入者系無線アクセスシステムに含まれる基地局１は、加入者局２に関する情報を記録するテーブル０３１を備えている。前述のようにテーブル０３１はＸ×３の行列構造のごとく構成している。ただし、Ｘは基地局１が登録できる加入者局数の上限である。テーブル０３１の第１列目の要素には、それぞれ、上記システムに含まれる加入者局の無線局ＩＤが一局ずつ登録される。加入者局の無線局ＩＤが登録されている上記行要素と同行の第２列目には、上記加入者局の中継レベルが登録されている。そして上記加入者局の無線局ＩＤが登録されている要素と同行の第３列目には、上記加入者局２と基地局１との間で信号を交わす際に中継局となる加入者局の無線局ＩＤ全てが、中継の経路を一意特定できる様に予め定めた順序で登録されている。例えば、一つの加入者局の中継局となる加入者局が、上記一つの加入者局とは別の加入者局の中継局にもなる場合、テーブル０３１において、上記中継局となる加入者局の無線局ＩＤは、上記一つの加入者局の無線局ＩＤが登録されている行の第３列目の行列要素にも、上記一つの加入者局とは別の加入者局の無線局ＩＤが登録されている行の第３列目の行列要素にも登録される。
【０１１６】
この様に、テーブル０３１の第３列目に無線局ＩＤが登録されている中継局となる加入者局は、上記第３列目への無線局ＩＤの登録数が多いほど、より多くの加入者局によって中継局として利用される。従って、本発明である加入者系無線アクセスシステムを運用する事業者は、外部入出力装置より、インタフェース制御部０５０と通信制御部０２１を介して、基地局０００内のテーブル０３１にアクセスし、テーブル０３１の第３列目に登録されたデータを読み出し、同データ内に含まれる中継局となる加入者局の無線局ＩＤそれぞれの登録数を計数数し、上記計数した登録数に基づいて、それぞれの加入者に対して差別的に課金する。具体的には、上記登録数の大きい、すなわち、中継の要所となる加入者局に対しては、課金面で優遇するといった処置を講ずることができる。
【０１１７】
【発明の効果】
本発明は、加入者系無線アクセスシステムに含まれる基地局及び加入者局が同一周波数にて送受可能な無線部を使用する状況において、加入者局の中継機能と、加入者局の状況に基づいた上記中継機能の要否判定の自動化と、基地局と任意の加入者局への中継経路の変更の自動化とを実現しうるものであり、指向性アンテナを備えた加入者局を含むシステムに対しても適用可能である。その結果、加入者局の中継機能を容易に運用することができるため、サービスエリアのを拡充に役立ち、基地局の設置コストを低減できる。また、中継局となる加入者局の故障や、加入者局の新設に対しても容易に対処しうる。さらに、中継の要所となる加入者局を基地局にて識別することが可能であるため、課金を差別化する際に役立つ。
【図面の簡単な説明】
【図１】従来知られている中継機能を持つ無線電話装置の構成を示すブロック図を示す図である。
【図２】本発明による加入者系無アクセスシステムの一例を説明するシステム構成図である。
【図３】本発明による加入者系無アクセスシステムで使用するフレームフォーマットの構成例を示す図である。
【図４】本発明による加入者系無アクセスシステムに含まれる加入者局の一実施形態の構成を示す図である。
【図５】図４の実施形態における第一のテーブルの構成を説明する図である。
【図６】本発明による加入者系無アクセスシステムに含まれる基地局の一実施形態の構成を示す図である。
【図７】図６の実施形態における第二のテーブルの構成を説明する図である。
【図８】本発明による加入者系無アクセスシステムに含まれる加入者局の他の実施形態の構成を示す図である。
【符号の説明】
１：基地局、  ３：障害物、  ２、２Ａ−２Ｇ：加入者局、  ０１０：無線部、
０２１：通信制御部、  ０３０：記憶部、  ０３１：第二のテーブル、
０３２：第四のテーブル、  ０５０：インタフェース制御部、
０７０，  １７１Ｄ：アンテナ、  １１０：無線部、
１２１，１２１Ｇ：通信制御部、  １２２：タイミング制御部、
１２３：受信品質測定部、  １３０，１３０Ｇ：記憶部、
１３１，１３１Ｇ：第一のテーブル、  １３２：第三のテーブル、
１３３：バッファ、  １４０：タイマー部、  １４１：第一のタイマー、
１４２：第二のタイマー、  １５０：インタフェース制御部、
１７０：アンテナ選択部、  １７１〜１７ｎ：指向性アンテナ、
２００，２０１，２０２：制御チャネル、
２１１，２１２，２１３，２１４：下り通信チャネル、
２２１，２２２，２２３，２２４：上り通信チャネル、
２３１，２３２，２３３：予約チャネル。
【図１】
0003936834.tif 000002
【図２】
0003936834.tif 000003
【図３】
0003936834.tif 000004
【図４】
0003936834.tif 000005
【図５】
0003936834.tif 000006
【図６】
0003936834.tif 000007
【図７】
0003936834.tif 000008
【図８】
0003936834.tif 000009